(57)【要約】  無線ノードは、第１の無線区間及び第２の無線区間のリソースに関する設定が含まれる設定情報と、前記リソースの用途を指示する指示情報とを受信する受信部と、前記設定情報及び前記指示情報に基づいて、前記第１の無線区間のリソースのリンク方向、及び、前記第２の無線区間のリソースの利用を制御する制御部と、を備える。
2020161922.tif 000002
【特許請求の範囲】
【請求項１】
第１の無線区間及び第２の無線区間のリソースに関する設定が含まれる設定情報と、前記リソースの用途を指示する指示情報とを受信する受信部と、
前記設定情報及び前記指示情報に基づいて、前記第１の無線区間のリソースのリンク方向、及び、前記第２の無線区間のリソースの利用を制御する制御部と、
を備えた、無線ノード。
【請求項２】
前記指示情報は、前記第１の無線区間のリソースのリンク方向、及び、前記第２の無線区間のリソースの利用に関する指示を含む、
請求項１に記載の無線ノード。
【請求項３】
前記指示情報は、前記リソースのスロット単位の指示を含む、
請求項２に記載の無線ノード。
【請求項４】
前記指示情報は、前記リソースのシンボル単位の指示を含む、
請求項２に記載の無線ノード。
【請求項５】
第１の指示情報は、前記第１の無線区間のリソースのリンク方向に関する指示を含み、
第２の指示情報は、前記第２の無線区間のリソースの利用に関する指示を含む、
請求項１に記載の無線ノード。
【請求項６】
無線ノードが、
第１の無線区間及び第２の無線区間のリソースに関する設定が含まれる設定情報と、前記リソースの用途を指示する指示情報とを受信し、
前記設定情報及び前記指示情報に基づいて、前記第１の無線区間のリソースのリンク方向、及び、前記第２の無線区間のリソースの利用を制御する、
無線通信制御方法。
【発明の詳細な説明】
【技術分野】
【０００１】
本開示は、無線ノード及び無線通信制御方法に関する。
【背景技術】
【０００２】
Universal Mobile Telecommunication System（ＵＭＴＳ）ネットワークにおいて、更なる高速データレート、低遅延などを目的としてロングタームエボリューション（Long Term Evolution（ＬＴＥ））が仕様化された。また、ＬＴＥからの更なる広帯域化および高速化を目的として、ＬＴＥの後継システムも検討されている。ＬＴＥの後継システムには、例えば、LTE-Advanced（ＬＴＥ−Ａ）、Future Radio Access（ＦＲＡ）、5th generation mobile communication system（５Ｇ）、5G plus（５Ｇ＋）、Radio Access Technology（Ｎｅｗ−ＲＡＴ）、New Radio（ＮＲ）などと呼ばれるシステムがある。【０００３】
将来の無線通信システム（例えば、５Ｇ）に関して、アクセスリンクとバックホール（Backhaul；ＢＨ）リンクを統合するIntegrated Access and Backhaul（ＩＡＢ）の技術について検討されている（非特許文献１）。無線ノードの一例であるＩＡＢノードは、ユーザ端末（User Equipment（ＵＥ））と、無線のアクセスリンクを形成すると共に、他のＩＡＢノード及び／又は無線基地局と無線のＢＨリンクを形成する。
【先行技術文献】
【非特許文献】
【０００４】
【非特許文献１】3GPP TR 38.874 V16.0.0 “3rd Generation Partnership Project; Technical Specification Group Radio Access Network; NR; Study on Integrated Access and Backhaul (Release 16)”，December 2018
【発明の概要】
【発明が解決しようとする課題】
【０００５】
しかしながら、無線ノードのＢＨリンク及び／又はアクセスリンクにおけるリソースの制御については検討が不十分である。【０００６】
本開示の一態様は、ＢＨリンクにおけるリソースを適切に制御する無線ノード及び無線通信制御方法を提供することを目的の１つとする。
【課題を解決するための手段】
【０００７】
本開示の一態様に係る無線ノードは、第１の無線区間及び第２の無線区間のリソースに関する設定が含まれる設定情報と、前記リソースの用途を指示する指示情報とを受信する受信部と、前記設定情報及び前記指示情報に基づいて、前記第１の無線区間のリソースのリンク方向、及び、前記第２の無線区間のリソースの利用を制御する制御部と、を備える。
【発明の効果】
【０００８】
本開示によれば、ＢＨリンク及び／又はアクセスリンクにおけるリソースを適切に制御できる。
【図面の簡単な説明】
【０００９】
【図１】本開示に係る無線通信システムの構成例を示す図である。
【図２】本開示に係るＩＡＢノードの構成例を示す図である。
【図３Ａ】実施の形態１に係るスロットフォーマットの第１例を示す図である。
【図３Ｂ】実施の形態１に係るスロットフォーマットの第２例を示す図である。
【図４Ａ】実施の形態１に係るスロットフォーマットの第３例を示す図である。
【図４Ｂ】実施の形態１に係るスロットフォーマットの第４例を示す図である。
【図５Ａ】実施の形態１に係るスロットフォーマットの第５例を示す図である。
【図５Ｂ】実施の形態１に係るスロットフォーマットの第６例を示す図である。
【図５Ｃ】実施の形態１に係るスロットフォーマットの第７例を示す図である。
【図６】実施の形態１に係るパラメータ「slotFormatCombinationId」の例を示す図である。
【図７Ａ】実施の形態１に係るスロットフォーマットのシンボルグループの第１例を示す図である。
【図７Ｂ】実施の形態１に係るスロットフォーマットのシンボルグループの第２例を示す図である。
【図７Ｃ】実施の形態１に係るスロットフォーマットのシンボルグループの第３例を示す図である。
【図８】実施の形態１に係る提案３−２の一例を説明するための図である。
【図９】実施の形態１に係る提案４の一例を説明するための図である。
【図１０】実施の形態２に係る提案５の一例を説明するための図である。
【図１１Ａ】実施の形態２に係る提案５−１におけるInformation Element（ＩＥ）「SlotFormatIndicator」の第１例を示す図である。
【図１１Ｂ】実施の形態２に係る提案５−１におけるＩＥ「SlotFormatIndicator」の第２例を示す図である。
【図１２Ａ】実施の形態２に係る提案５−２におけるＩＥ「SlotFormatIndicator」の例を示す図である。
【図１２Ｂ】実施の形態２に係る提案５−２におけるＩＥ「SlotFormatCombinationsPerCell」の例を示す図である。
【図１３】実施の形態２に係るケース２の指示の一例を説明するための図である。
【図１４】実施の形態２に係るケース２及び３のジョイント指示の一例を説明するための図である。
【図１５】実施の形態２に係るケース１、２及び３のジョイント指示の一例を説明するための図である。
【図１６】本開示に係るＩＡＢノード及びユーザ端末のハードウェア構成の例を示す図である。
【発明を実施するための形態】
【００１０】
以下、本開示の実施の形態を、図面を参照して説明する。
【００１１】
（実施の形態１）
以下、実施の形態１について説明する。
【００１２】
＜システム構成＞
図１は、無線通信システムの構成例を示す。
【００１３】
無線通信システム１は、無線ノードの一例である複数のＩＡＢノード１０Ａ〜１０Ｃと、ユーザ端末の一例であるＵＥ２０とを含む。以下、ＩＡＢノード１０Ａ〜１０Ｃを区別しないで説明する場合には、「ＩＡＢノード１０」のように、参照符号のうち共通番号のみを使用することがある。
【００１４】
ＩＡＢノード１０Ａ〜１０Ｃは、それぞれ、無線通信によって、他のＩＡＢノード１０に接続する。図１に示すように、ＩＡＢノード１０Ｂは、ＩＡＢノード１０Ａ及びＩＡＢノード１０Ｃに接続する。ＩＡＢノード１０Ｂから見て、下流のＩＡＢノード１０Ｃは子ＩＡＢノードと呼ばれ、上流のＩＡＢノード１０Ａは親ＩＡＢノードと呼ばれる。ここで、下流はＩＡＢドナーから遠ざかる方向であり、上流はＩＡＢドナーに近づく方向である。
【００１５】
ＩＡＢノード１０Ａ〜１０Ｃは、それぞれ、無線通信可能なエリアであるセルを形成する。すなわち、ＩＡＢノード１０は、基地局としての機能を有する。セル内のＵＥ２０は、当該セルを形成するＩＡＢノード１０に無線接続できる。
【００１６】
ＩＡＢノード１０ＡがＩＡＢドナーである場合、ＩＡＢノード１０Ａは、ファイバＢＨを通じて、コアネットワーク（Core Network（ＣＮ））に接続する。なお、無線通信システム１に含まれるＩＡＢノード１０の数及びＵＥ２０の数は、図１の例に限られない。
【００１７】
図１に示すＬとその添え字は以下を示す。
・ＬＰ，ＤＬは、親ＩＡＢノード１０ＡからＩＡＢノード１０ＢへのＤｏｗｎｌｉｎｋ（ＤＬ；下りリンク）を示す。
・ＬＰ，ＵＬは、ＩＡＢノード１０Ｂから親ＩＡＢノード１０ＡへのＵｐｌｉｎｋ（ＵＬ；上りリンク）を示す。
・ＬＣ，ＤＬは、ＩＡＢノード１０Ｂから子ＩＡＢノード１０ＣへのＤＬを示す。
・ＬＣ，ＵＬは、子ＩＡＢノード１０ＣからＩＡＢノード１０ＢへのＵＬを示す。
・ＬＡ，ＤＬは、ＩＡＢノード１０ＢからＵＥ２０へのＤＬを示す。
・ＬＡ，ＵＬは、ＵＥ２０からＩＡＢノード１０ＢへのＵＬを示す。
【００１８】
ＬA,DL及び／又はＬA,ULは、アクセスリンクと呼ばれる。ＬP,DL、ＬP,UL、ＬC,DL及び／又はＬC,ULは、ＢＨリンクと呼ばれる。
【００１９】
＜ＩＡＢノード＞
図２は、ＩＡＢノード１０の構成例を示す。
【００２０】
図２に示すように、ＩＡＢノード１０は、制御部１００と、Mobile-Termination（ＭＴ）１０２と、Distributed Unit（ＤＵ）１０３とを有する。なお、ＭＴ１０２及びＤＵ１０３は、機能ブロックであってよい。以下、ＭＴ１０２の機能を表現する場合、ＭＴのように参照符号を付さずに表現し、ＤＵ１０３の機能を表現する場合、ＤＵのように参照符号を付さずに表現する場合がある。また、ＤＵ１０３は、基地局に相当する機能を有してよい。また、ＤＵ１０３は、無線部分の処理を行う張出局と、無線部分以外の処理を行う集約局とを備える基地局における、張出局に相当する機能を有してもよい。また、ＭＴ１０２の一例は、端末に相当する機能を有してよい。
【００２１】
ＩＡＢノード１０ＢのＭＴ１０２は、親ＩＡＢノード１０ＡとのＢＨリンク（以下「親リンク」という）を制御する。ＩＡＢノード１０ＢのＤＵ１０３は、子ＩＡＢノード１０ＣとのＢＨリンク、及び／又は、ＵＥ２０とのアクセスリンクを制御する。以下、子ＩＡＢノード１０ＣとのＢＨリンク及び／又はＵＥ２０とのアクセスリンクを、「子リンク」という。
【００２２】
制御部１００は、ＭＴ１０２及びＤＵ１０３を制御する。なお、後述するＩＡＢノード１０の動作は、当該制御部１００がＭＴ１０２及びＤＵ１０３を制御することによって実現されてよい。また、制御部１００は、各種情報を記憶するための記憶部を備えてもよい。
【００２３】
親リンクと子リンクとの間には、半二重制約（half-duplex constraint）が適用されてよい。半二重制約を実現するために、親リンクと子リンクには、Time Division Multiplexing（ＴＤＭ）が適用されてよい。この場合、時間リソースは、親ＢＨリンクと子ＢＨリンクのうちの何れか一方が利用できてよい。なお、ＴＤＭの適用は一例であり、例えば、Frequency Division Multiplexing（ＦＤＭ）、又は、Space Division Multiplexing（ＳＤＭ）が適用されてもよい。
【００２４】
親リンクにおける時間リソース（以下「ＭＴリソース」という）には、次の何れかのタイプが設定される。
・ＤＬタイプが設定されたＭＴリソース（以下「ＭＴ−Ｄ」という）は、ＬＰ，ＤＬとして利用される。
・ＵＬタイプが設定されたＭＴリソース（以下「ＭＴ−Ｕ」という）は、ＬＰ，ＵＬとして利用される。
・Ｆｌｅｘｉｂｌｅ（ＦＬ）タイプが設定されたＭＴリソース（以下「ＭＴ−Ｆ」という）は、ＬＰ，ＤＬ又はＬＰ，ＵＬとして利用される。
【００２５】
ＭＴリソースは、親ＩＡＢノード１０Ａとの通信に用いられるリソース、親ＩＡＢノード１０Ａとのバックホールリンクの通信に用いられるリソース、或いは、サービングセルとの通信に用いられるリソースといった他の表現に読み替えられてもよい。また、ＭＴリソースは、第１の無線区間のリソースの一例であってもよい。
【００２６】
子リンクにおける時間リソース（以下「ＤＵリソース」という）には、次の何れかのタイプが設定される。
・ＤＬタイプが設定されたＤＵリソース（以下「ＤＵ−Ｄ」という）は、ＬＣ，ＤＬ又はＬＡ，ＤＬとして利用されてよい。
・ＵＬタイプが設定されたＤＵリソース（以下「ＤＵ−Ｕ」という）は、ＬＣ，ＵＬ又はＬＡ，ＵＬとして利用されてよい。
・ＦＬタイプが設定されたＤＵリソース（以下「ＤＵ−Ｆ」という）は、ＬＣ，ＤＬ、ＬＣ，ＵＬ、ＬＡ，ＤＬ又はＬＡ，ＵＬとして利用されてよい。
・Not-Available（ＮＡ）タイプが設定されたＤＵリソース（以下「ＤＵ−ＮＡ」という）は、子リンクには利用されない。
【００２７】
ＤＵリソースは、子ＩＡＢノード１０Ｃ及び／又はＵＥ２０との通信に用いられるリソース、子ＩＡＢノード１０Ｃとのバックホールリンク及び／又はＵＥ２０とのアクセスリンクとの通信に用いられるリソースといった他の表現に読み替えられてもよい。また、ＤＵリソースは、第２の無線区間のリソースの一例であってもよい。
【００２８】
さらに、ＤＵ−Ｄ、ＤＵ−Ｕ及びＤＵ−Ｆには、次の何れかのタイプが設定される。
・Ｈａｒｄタイプが設定されたＤＵリソースは、子リンクに利用され、親リンクに利用されない。以下、Ｈａｒｄタイプが設定されたＤＵリソースを「ＤＵ（Ｈ）」と表現する場合がある。
・Ｓｏｆｔタイプが設定されたＤＵリソースは、親ＩＡＢノード１０Ａからの明示的及び／又は暗示的な指示によって、子リンクに利用できるかどうか（以下「利用可能性（Availability）」という）が決定される。以下、Ｓｏｆｔタイプが設定されたＤＵリソースを「ＤＵ（Ｓ）」と表現する場合がある。
【００２９】
なお、ＤＵリソースにおける、ＤＬ、ＦＬ、ＦＬ及びＮＡの設定、並びに、Ｓｏｆｔ及びＨａｒｄの設定については、準静的（Semi-static）に設定されてもよい。例えば、これらＤＵ向けの設定は、ＲＲＣパラメータによって設定されてもよい。ＲＲＣは、Radio Resource Controlの略である。なお、ＲＲＣパラメータは、ＲＲＣシグナリング、ＲＲＣメッセージ、又はＲＲＣ設定といった他の用語に読み替えられてよい。また、これらＤＵ向けの設定は、Ｆ１−ＡＰパラメータによって設定されてもよい。なお、Ｆ１−ＡＰパラメータは、Ｆ１−ＡＰシグナリング、又はＦ１−ＡＰメッセージといった他の用語に読み替えられてよい。
【００３０】
＜検討＞
ＤＵ（Ｓ）の利用可能性を動的に指示する場合について検討する。この場合、以下が想定される。
・ＤＵリソースのリンク方向（つまりＤＬ又はＵＬ）が準静的に設定されてよい。
・ＤＵ−Ｆのリンク方向が、ＩＡＢノード１０によって決定されてよい。この決定は、親ＩＡＢノードからの指示に限られない。
・ＤＵ（Ｓ）が利用可能ならば、このリソースは、親リンクから解放されていると想定されてよい。ＤＵ（Ｓ）の利用可能性は、親ＩＡＢノードによって決定されてよい。
【００３１】
また、スロットフォーマットを通知するためのパラメータ「ＤＣＩフォーマット２＿０」を用いて、スロットを動的に設定できる。ＤＣＩは、Downlink Control Informationの略である。例えば、ＤＣＩフォーマット２＿０におけるスロットフォーマット指示情報（Slot format indicator）によって、スロットフォーマットのパターンは動的に指示されてよい。スロットフォーマット指示情報は、スロットフォーマットのパターンを指示するための情報である。なお、スロットは、データのスケジュール単位であり、複数のシンボル（例えば１４個のシンボル）から構成されてよい。また、スロットの各シンボルは、ＵＬ、ＤＬ、ＦＬ又はＮＡとして利用できる。よって、スロットフォーマット指示情報は、スロットの各シンボルをどのように利用するかを指定するための情報とも言える。
【００３２】
また、ＤＵ（Ｓ）の利用可能性は、Ｌａｙｅｒ１（Ｌ１）シグナリングによって、動的に指示されてよい。当該Ｌ１シグナリングは、既存のＬ１シグナリングの拡張であってもよいし、新たなＬ１シグナリングであってもよい。
【００３３】
上記想定の下では、次のケース１，２が想定される。
（ケース１）ＤＵ（Ｓ）の利用可能性及びＭＴ−Ｆのリンク方向を指示する。
（ケース２）ＤＵ（Ｓ）の利用可能性を指示する。
【００３４】
上記ケース１，２を鑑み、ＤＵ（Ｓ）の利用可能性の動的な指示は、次のオプション１、オプション２のうちの少なくとも１つによって実現されてよい。
【００３５】
（オプション１）ＭＴリソースのリンク方向及びＤＵリソースの利用可能性をジョイント指示（joint indicate）する。「ジョイント指示」は、「まとめて指示」、「一緒に指示」、「一度に指示」又は「結合して指示」といった他の表現に読み替えられてよい。このオプション１は、次のオプション１−１又は１−２のうちの少なくとも１つによって実現されてよい。
（オプション１−１）当該ジョイント指示に、ＤＣＩフォーマット２＿０と、スロットフォーマットテーブルの予約済みエントリ（例えば５６〜２５４）とを使用する。
（オプション１−２）スロットフォーマットテーブルにおけるインデックスの指示に代えて、当該ジョイント指示に、ＭＴ−Ｄ、ＭＴ−Ｕ、ＭＴ−Ｆ又はＤＵ−Ａのうちの１つを指示する情報（例えば２ビットの情報）を使用する。なお、ＤＵ−Ａが指示されたＤＵリソースは、利用可能（available）に設定される。
【００３６】
（オプション２）ＭＴリソースのリンク方向とＤＵリソースの利用可能性とを分けて指示する。例えば、ＭＴリソースのリンク方向をＤＣＩフォーマット２＿０にて指示し、ＤＵリソースの利用可能性を新たなシグナリングにて指示する。当該新たなシグナリングは、当該指示用のビットマップを含んでよい。
【００３７】
以下、オプション１−１、オプション１−２及びオプション２について詳細に説明する。
【００３８】
＜オプション１−１の詳細＞
オプション１−１は、ＤＣＩフォーマット２＿０と、スロットフォーマットテーブルの予約済みエントリ（例えば５６〜２５４）とを使用して、ＭＴリソースのリンク方向とＤＵリソースの利用可能性とをジョイント指示する。
【００３９】
例えば、ＭＴ−Ｄ、ＭＬ−Ｕ又はＭＴ−Ｆと、ＤＵ（Ｓ）の利用可能性（つまりＤＵ−Ａ）と、をジョイント指示する。例えば、各スロットフォーマットは、ＭＴ−Ｄ、ＭＴ−Ｕ、ＭＴ−Ｆ及びＤＵ−Ａによって構成された各スロットフォーマットを指示する。オプション１−１は、将来の無線通信システム（例えば５Ｇ）に関する仕様における改変の影響が小さく、通信のオーバーヘッドが増加しない。
【００４０】
オプション１−１は、次の（提案１−１）〜（提案１−２）のうちの少なくとも１つによって実現されてよい。
【００４１】
（提案１−１）基準とする既存のスロットフォーマットにおける幾つかのシンボルを「ＤＵ−Ａ」に置き換えた、新たなスロットフォーマットをサポートする。例えば、図３Ａに示すように、全てのシンボルにＭＴ−Ｄが設定されたスロットフォーマット０の先頭から２シンボルをＤＵ−Ａに置き換えた、スロットフォーマット５６をサポートする。例えば、図３Ｂに示すように、全てのシンボルにＭＴ−Ｕが設定されたスロットフォーマット１の先頭から２シンボルをＤＵ−Ａに置き換えた、スロットフォーマット５７をサポートする。
【００４２】
（提案１−２）ＤＵ−Ａが設定された幾つかのパターンのスロットフォーマットをサポートする。例えば、次の（提案１−２−１）、（提案１−２−２）及び（提案１−２−３）のうちの少なくとも１つのスロットフォーマットをサポートする。
【００４３】
（提案１−２−１）図４Ａに示すように、ＤＵ−Ａが連続して設定されたパターンのスロットフォーマットと、図４Ｂに示すように、ＤＵ−Ａが散在して設定されたパターンのスロットフォーマットとをサポートする。
【００４４】
（提案１−２−２）所定数のＤＵ−Ａが設定された幾つかのパターンのスロットフォーマットをサポートする。例えば、図５Ａに示すように、比較的多数（例えば１４シンボル分）のＤＵ−Ａが設定されたロングパターンのスロットフォーマットをサポートする。また、図５Ｂに示すように、比較的少数（例えば２シンボル分）のＤＵ−Ａが設定されたショートパターンのスロットフォーマットをサポートする。また、図５Ｃに示すように、ロングパターンとショートパターンとの間の数（例えば７シンボル分）のＤＵ−Ａが設定されたミディアムパターンのスロットフォーマットをサポートする。
【００４５】
（提案１−２−３）所定の位置にＤＵ−Ａが設定された幾つかのパターンのスロットフォーマットをサポートする。例えば、１番目、７番目又は１０番目のシンボルからＤＵ−Ａが設定されたパターンのスロットフォーマットをサポートする。
【００４６】
スロットフォーマットテーブルの予約済みエントリ数は限られている。よって、上記（提案１−１）及び（提案１−２）では、スロットにおける、ＭＴリソースのリンク方向及びＤＵリソースの利用可能性の全てのパターンをサポートできるとは限らない。そこで、例えば、次の（Ａ１）〜（Ａ３）のうちの少なくとも１つの制約が設けられてもよい。
【００４７】
（Ａ１）ＤＵ−Ａの数は制限されてよい。予約済みエントリ数の制限を考慮しつつ、様々な種類のトラフィック負荷に対応できるように、ＤＵ−Ａの数は制限されてよい。
【００４８】
（Ａ２）上記（Ａ１）の制約に基づいて、ＤＵ−Ａの位置が制限されてよい。スロット内のトラフィックの開始位置（例えば１番目又は２番目のシンボル）は、利用可能なリソース全体よりも重要性が低い。既存のスロットフォーマットのフレーム構成は、始めにＤＬリソースが続き、最後にＵＬリソースが続くパターンが多い。そこで、親リンクのＤＬリソースが解放される場合、１番目のシンボルがＤＵ−Ａの開始位置であるパターンが使用されてよい。また、親リンクのＵＬリソースが解放される場合、１０番目のシンボルがＤＵ−Ａの開始位置であるパターンが使用されてよい。
【００４９】
（Ａ３）上記（Ａ１）の制約に基づいて、ＤＵ−Ａが散在するパターン及び連続するパターンをサポートしてよい。既存のスロットフォーマットのフレーム構成は、始めにＤＬが続き、最後にＵＬが続く場合が多い。そこで、親リンクの連続するＤＬ又はＵＬリソースが解放されている場合、ＤＵ−Ａが連続するパターンが使用されてよい。また、ＤＬ及びＵＬリソースの両方が親リンクから解放される場合、ＤＵ−Ａが散在するパターンが使用されてよい。
【００５０】
＜オプション１−２の詳細＞
スロットフォーマットテーブルのインデックスの指示に代えて、ＭＴ−Ｄ、ＭＴ−Ｕ、ＭＴ−Ｆ又はＤＵ−Ａのうちの１つを指示するための情報（例えば２ビットの情報）を使用して、ＭＴリソースのリンク方向とＤＵリソースの利用可能性とをジョイント指示する。
【００５１】
例えば、２ビットの情報「００」によってＭＴ−Ｄを、２ビットの情報「０１」によってＭＴ−Ｕを、２ビットの情報「１０」によってＭＴ−Ｆを、２ビットの情報「１１」によってＤＵ−Ａを指示する。
【００５２】
この２ビットの情報により、オプション１−１と同様、ＭＴ−Ｄ、ＭＴ−Ｕ又はＭＴ−Ｆと、ＤＵ−Ａとをジョイント指示できる。オプション１−２は、オプション１−１とは異なり、スロットフォーマットテーブルを使用しなくてもよい。
【００５３】
オプション１−１は、スロットフォーマットの予約済みエントリ数が限られるが、オプション１−２には、そのような制限がない。よって、オプション１−２は、オプション１−１と比較して、リソースの利用パターンをより柔軟に設定できる。
【００５４】
オプション１−２は、次の（提案２−１）及び（提案２−２）のうちの少なくとも１つによって実現されてよい。
【００５５】
（提案２−１）セル毎のスロットフォーマットの組み合わせを指示するためのＩＥ「slotFormatCombinationsPerCell」と、ＤＣＩフォーマット２＿０とを利用する。
【００５６】
例えば、図６に示すように、スロットフォーマットテーブルのインデックスに代えて、スロットフォーマットの組み合わせを指示するためのパラメータ「slotFormatCombinationId」を、スロットフォーマットに関する新たな情報「slotFormats-R16」に対応付ける。情報「slotFormats-R16」は、スロットにおけるＭＴリソースのリンク方向及びＤＵリソースの利用可能性を指示するための情報である。例えば、１スロット内の１４シンボルの各々に２ビットの情報を対応付け、最大限柔軟にパターンを設定可能にする場合、情報「slotFormats-R16」は、２８ビットのパラメータを有してよい。この場合、既存のスロットフォーマットテーブルは使用されなくてよい。なお、情報「slotFormats-R16」の「R16」は新たな情報であることを示す例であり、当該情報の名称はこれに限られない。
【００５７】
また、オーバーヘッド低減のために、上記２８ビットのパラメータに代えて、次の（Ａｌｔ．Ｂ１）又は（Ａｌｔ．Ｂ２）を適用してもよい。
（Ａｌｔ．Ｂ１）後述する（提案３）の方法を適用する。
（Ａｌｔ．Ｂ２）既存のスロットフォーマットテーブルよりも大きいサイズの新たなスロットフォーマットテーブルを定義する。
【００５８】
なお、ＤＣＩフォーマット２＿０は、情報「slotFormats-R16」が対応付けられたパラメータ「slotFormatCombinationId」を指示してもよい。
【００５９】
（提案２−２）パラメータ「slotFormatCombinationId」に代えて、スロット設定を直接指示するための新たなＤＣＩフォーマットｘを定義する。なお、「ｘ」は、当該新たなＤＣＩフォーマットを識別するための番号であってよい。そして、ＩＡＢノード１０は、ＤＣＩフォーマットｘに含まれる、スロットフォーマットのパターンを指示するための新たなスロットフォーマット指示情報（slot format indicator_x）に基づいて、スロットを設定する。なお、「slot format indicator_x」の「x」は、新たなスロットフォーマット指示情報であることを示す例であり、当該スロットフォーマット指示情報の名称はこれに限られない。スロットフォーマット指示情報は、スロットフォーマットのパターンを指示する。例えば、１スロット内の１４シンボルの各々にリソースタイプを指示するための２ビットの情報を対応付け、各スロットフォーマット指示情報は、互いに異なるパターンの２８ビットの列を指示する。これにより、スロットフォーマット指示情報によって、スロットフォーマットのパターンを柔軟に設定できる。
【００６０】
この場合、ＩＡＢノード１０は、ＤＣＩフォーマット２＿０に代えて、上記ＤＣＩフォーマットｘを監視してよい。また、スロットフォーマット指示情報は、１又は複数のスロットに対して指示できてよい。また、ＲＲＣパラメータは、Ｘ−ＲＮＴＩ、ＤＣＩフォーマットｘのペイロードサイズ、及び／又は、セル毎の情報（例えばセルＩＤ及び／又はビット位置）を設定してもよい。ＲＮＴＩは、Radio Network Temporary Identifierの略である。
【００６１】
上記（提案２−１）及び（提案２−２）におけるオーバーヘッドを低減するために、次の（提案３−１）及び（提案３−２）うちの少なくとも１つが適用されてもよい。
【００６２】
（提案３−１）シンボルグループを設定する。
【００６３】
例えば、ＭＴ−Ｄ、ＭＴ−Ｕ、ＭＴ−Ｆ、ＤＵ−Ａのうち同じ設定を共有する連続するシンボルを、シンボルグループとする。なお、シンボルグループは、上位レイヤシグナリングによって設定されてもよい。また、セルにおいて固有又は共通のシンボルグループが設定されてもよい。
【００６４】
シンボルグループは、例えば、次の（提案３−１−１）及び（提案３−１−２）うちの少なくとも１つによって設定されてよい。
【００６５】
（提案３−１−１）一定のパターンのシンボルグループが設定される。例えば、各グループのシンボル数が同じであるパターンのシンボルグループが設定される。この場合、ＲＲＣパラメータによって、シンボル数とスロット数が設定されてよい。例えば、シンボル数「２」、スロット数「１」が設定された場合、図７Ａに示すパターンのシンボルグループが設定されてよい。図７Ａにおいて、１つの太枠が１つのシンボルグループを示す。例えば、シンボル数「４」、スロット数「２」が設定された場合、図７Ｂに示すパターンのシンボルグループが設定されてよい。図７Ｂにおいて、１つの太枠が１つのシンボルグループを示す。
【００６６】
（提案３−１−２）任意のパターンのシンボルグループが設定される。この場合、ＲＲＣパラメータによって、シンボルの連続数とスロット数が設定されてよい。例えば、シンボルの連続数［２，２，４，６］、スロット数「１」が設定された場合、図７Ｃに示すパターンのシンボルグループが設定されてよい。図７Ｃにおいて、１つの太枠が１つのシンボルグループを示す。
【００６７】
（提案３−２）ＭＴ−Ｆ及びＤＵ（Ｓ）に対して、ＭＴリソースのリンク方向及びＤＵリソースの利用可能性を動的にジョイント指示する。図８は、７番目から１２番目のシンボルのＭＴ−Ｆ及びＤＵ（Ｓ）に対して、ＭＴリソースのリンク方向及びＤＵリソースの利用可能性を動的にジョイント指示する例である。
【００６８】
当該動的なジョイント指示には、上記（提案２−１）にて説明した新たなフォーマット情報（slotFormats-R16）、或いは、上記（提案２−２）にて説明した新たなスロットフォーマット指示情報（slot format indicator_x）が使用されてもよい。また、当該フォーマット情報又はスロットフォーマット指示情報のペイロードサイズは、ＭＴ−Ｆ及びＤＵ（Ｓ）のパターンに応じて定められてよい。例えば、図８に示すように、ＤＵ−Ａを示す２ビット「１１」が動的にジョイント指示された場合、ＭＴ−ＦのＭＴリソースはＮＡに設定され、ＤＵ−Ｄ（Ｓ）のＤＵリソースは、ＤＵ−Ｄに設定されてよい。また、ＭＴ−Ｕを示す２ビット「０１」が動的にジョイント指示された場合、ＭＴ−ＦのＭＴリソースはＭＴ−Ｕに設定され、ＤＵ−Ｕ（Ｓ）のＤＵリソースはＮＡに設定されてよい。
【００６９】
なお、当該（提案３−２）は、次の理由に基づく。
・ＭＴ−Ｆ及びＤＵ（Ｓ）は、利用方法について動的な指示を要する。
・ＤＵ（Ｈ）と重複するＭＴリソースは利用できない。
【００７０】
＜オプション２の詳細＞
ＭＴリソースのリンク方向及びＤＵリソースの利用可能性を分けて指示する。例えば、ＭＴリソースについてＤＣＩフォーマット２＿０を用いて指示し、ＤＵリソースの利用可能性について新たなシグナリングを用いて指示する。当該新たなシグナリングは、例えば、Ｓｏｆｔとして設定されたシンボルのＩＡ又はＩＮＡを各ビットが指示するビットマップを有してよい。ここで、「ＩＡ」は、ＤＵリソースが明示的又は暗示的に利用可能と指示されることを意味する。「ＩＮＡ」は、ＤＵリソースが明示的又は暗示的に利用不可と指示されることを意味する。
【００７１】
オプション２によれば、柔軟な指示が可能である。また、オプション２は、ＭＴリソースとＤＵリソースの設定は分けられており、Ｓｏｆｔのリソースに対して利用可能性が指示される。よって、ＭＴリソースが動的な指示を要しない場合において、オプション２は、オプション１よりもオーバーヘッドが低減する。
【００７２】
オプション２は、次の（提案４）によって実現されてよい。
【００７３】
（提案４）ＤＵ（Ｓ）の利用可能性を指示するための新たなＤＣＩフォーマットｙを定義する。なお、「ｙ」は、当該新たなＤＣＩフォーマットを識別するための番号であってよい。そして、ＩＡＢノード１０は、ＤＣＩフォーマットｙに含まれる、ＤＵ（Ｓ）の利用可能性を指示するための新たな利用可能性指示情報（availability indicator）に基づいて、ＤＵ（Ｓ）の利用可能性を設定する。利用可能性指示情報は、例えば１〜Ｎの値を採りうる（Ｎはサービングセルの最大数）。利用可能性指示情報の１〜Ｎは、それぞれ、互いに異なるパターンのビットマップに対応してよい。ビットマップの各ビットは、Ｓｏｆｔとして設定されたシンボルのＩＡ又はＩＮＡを指示してよい。
【００７４】
１つの利用可能性指示情報は、１つのサービングセルに対応付けられてよい。また、１つの利用可能性指示情報は、１又は複数のスロットのＳｏｆｔとして設定されたリソース（例えばシンボル）の利用可能性について指示できてよい。
【００７５】
図９に示すように、ＤＣＩフォーマットｙにおける利用可能性指示情報は、準静的に設定された１スロットのＳｏｆｔに設定された３、４、７、８番目のシンボルに対して、ビット「０」又は「１」を指示する。図９では、ビット「０」はＩＡを示し、ビット「１」はＩＮＡを示す。これにより、３、４番目のＤＵ−Ｄ（Ｓ）のシンボルは、ＤＵ−Ｄに設定される。７番目のＤＵ−Ｆ（Ｓ）のシンボルは、ＤＵ−Ｆに設定される。８番目のＤＵ−Ｆ（Ｓ）のシンボルは、ＮＡに設定される。
【００７６】
ＲＲＣパラメータは、ＲＮＴＩ、セル毎の情報（例えばセルＩＤ及び／又はビット位置）、及び／又は、利用可能性指示情報のペイロードサイズを指示してもよい。
【００７７】
利用可能性指示情報のペイロードサイズの設定及び決定には、次の（Ａｌｔ．Ｃ１）又は（Ａｌｔ．Ｃ２）の何れかが適用されてよい。
【００７８】
（Ａｌｔ．Ｃ１）ＲＲＣパラメータによって、ペイロードサイズを設定及び決定する。この場合、次の（Ａｌｔ．Ｃ１−１）又は（Ａｌｔ．Ｃ１−２）の何れかが適用されてよい。
（Ａｌｔ．Ｃ１−１）ＲＲＣパラメータによってスロット数が設定され、ＩＡＢノード１０は、Ｓｏｆｔリソースの設定に従って、ペイロードサイズを決定する
（Ａｌｔ．Ｃ１−２）ペイロードサイズは、ＲＲＣパラメータによって直接設定される。
【００７９】
（Ａｌｔ．Ｃ２）デフォルトのスロット数（例えば１）が定義され、ＩＡＢノード１０は、その設定に従ってペイロードサイズを決定する。
【００８０】
なお、当該提案４において、上記提案３のシンボルグループの設定を使用してもよい。
【００８１】
＜実施の形態１のまとめ＞
実施の形態１では、ＩＡＢノード１０は、親リンクのＭＴリソース及び子リンクのＤＵリソースに関する設定が含まれる設定情報と、リソースの用途を指示する指示情報とを受信する受信部と、設定情報及び指示情報に基づいてＭＴリソースのリンク方向、及び、ＤＵリソースの利用を制御する制御部１００と、を備える。
【００８２】
当該構成により、ＩＡＢノード１０は、ＭＴリソース及びＤＵリソースを適切に制御できる。
【００８３】
（実施の形態２）
以下、実施の形態２について説明する。なお、実施の形態２に係る無線システム及びＩＡＢノード１０の構成については、実施の形態１において説明済みのため、説明を省略する。
【００８４】
＜検討＞
ＤＵ（Ｓ）の利用可能性及びＦＬリソースのリンク方向の両方を動的に指示する場合について検討する。この場合、次のケース１，２，３が想定される。
（ケース１）ＭＴ−Ｆのリンク方向を動的に指示する。
（ケース２）ＤＵ−Ｆのリンク方向を動的に指示する。
（ケース３）ＤＵ（Ｓ）の利用可能性を動的に指示する。
【００８５】
上記ケース１，２，３を鑑み、当該動的指示は、次のオプション１，２，３のうちの少なくとも１つによって実現されてよい。
【００８６】
（オプション１）ケース１，２，３の指示を分ける。
（オプション２）ケース１，２，３のうち、１つのケースの指示と、他の２つのケースのジョイント指示とを分ける。このオプション２は、次のオプション２−１、オプション２−２、オプション２−３のうちの少なくとも１つによって実現されてよい。
（オプション２−１）ケース１の指示と、ケース２及び３のジョイント指示とを分ける。
（オプション２−２）ケース２の指示と、ケース１及び３のジョイント指示とを分ける。
（オプション２−３）ケース３の指示と、ケース１及び２のジョイント指示とを分ける。
（オプション３）ケース１，２及び３をジョイント指示する。
【００８７】
以下、オプション１、オプション２−１、オプション２−２、オプション２−３、及びオプション３について、詳細に説明する。
【００８８】
＜オプション１の詳細＞
（提案５）オプション１は、ケース１，２，３の指示を分ける。例えば、ケース１では、既存のメカニズム（例えばＤＣＩフォーマット２＿０）を用いて指示する。ケース２では、準静的な設定の後に、ＤＣＩフォーマット２＿０及びスロットフォーマットテーブルを用いてＤＵ−Ｆのリンク方向を指示する。なお、ケース２の指示の詳細については後述する。ケース３では、実施の形態１の提案４を用いて指示する。例えば、図１０に示すように、動的指示後のＤＵのスロットフォーマットにおけるＤＵ（Ｓ）に対して、提案４にて説明した利用可能性指示情報を用いて、ＤＵ（Ｓ）の利用可能性を設定する。
【００８９】
＜＜ケース２の指示の詳細＞＞
次に、ケース２の指示の詳細について説明する。ケース２の指示は、次の（提案５−１）及び／又は（提案５−２）によって実現されてよい。
【００９０】
（提案５−１）ＭＴ及びＤＵにおいて、異なるＲＮＴＩを用いる（図１１Ａ及び図１１Ｂの太字を参照）。この場合、スロットフォーマット指示情報（ＩＥ「SlotFormatIndicator」）における他の設定は、ＭＴ及びＤＵにおいて、同じであってもよいし、異なってもよい。
【００９１】
（提案５−２）ＭＴ及びＤＵにおいて、共通のＲＮＴＩを用いる（図１２Ａ及び図１２Ｂを参照）。この場合、ＭＴ及びＤＵにおいて、異なるセットのパラメータ「slotFormatCombinationID」が用いられてよい。例えば、パラメータ「slotFormatCombinationID」のセット「１〜５」をＭＴに用い、当該各ＩＤをＭＴのスロットフォーマットに対応付ける。パラメータ「slotFormatCombinationID」のセット「６〜１０」をＤＵに用い、当該各ＩＤをＤＵのスロットフォーマットに対応付ける。当該スロットフォーマットは、上記提案５にて説明したスロットフォーマットであってもよいし、下記提案６にて説明するスロットフォーマットであってもよい。
【００９２】
当該ケース２の指示の一例を、図１３を参照して説明する。まず、ＤＵのスロットフォーマットが、準静的に設定される。次に、ＤＣＩフォーマット２＿０のスロットフォーマット指示情報が動的指示される。ＩＡＢノード１０は、準静的に設定されたＤＵのスロットフォーマットに対して、動的指示されたスロットフォーマット指示情報を適用し、ＤＵスロットフォーマットのＤＵ−Ｆのリンク方向を決定する。なお、ＤＣＩフォーマット２＿０による動的指示によって、準静的に設定されたＳｏｆｔ又はＨａｒｄは変化しなくてよい。
【００９３】
＜オプション２−１の詳細＞
（提案６−１）オプション２−１は、ケース１の指示と、ケース２及び３のジョイント指示とを分ける。例えば、ケース１の指示を、既存のメカニズム（例えばＤＣＩフォーマット２＿０）を用いて実現する。ケース２及び３のジョイント指示を、上述した提案１及び２に類似する方法にて実現する。
【００９４】
次に、ケース２及び３のジョイント指示について詳細に説明する。この場合、各スロットフォーマットは、ＤＵ−Ｄ、ＤＵ−Ｕ、ＤＵ−Ｆ又はＤＵ−ＮＡによって構成される。また、ＤＵ−Ｄ、ＤＵ−Ｕ、ＤＵ−Ｆが指示されたリソースは、利用可能となる。
【００９５】
当該ケース２及び３のジョイント指示の一例について、図１４を参照して説明する。まず、ＤＵスロットフォーマットが、準静的に設定される。次に、ＤＣＩフォーマット２＿０のスロットフォーマット指示情報が動的指示される。ＩＡＢノード１０は、準静的に設定されたＤＵスロットフォーマットに対して、動的指示されたスロットフォーマット指示情報を適用し、ＤＵスロットフォーマットのリンク方向又はＮＡを決定する。
【００９６】
なお、ケース２及び３のジョイント指示は、次の（提案６−１−１）、（提案６−１−２）、（提案６−１−３）のうちの少なくとも１つによって実現されてよい。
【００９７】
（提案６−１−１）既存のスロットフォーマットテーブルの予約エントリ、及び、ＤＣＩフォーマット２＿０を用いて、ケース２及び３のジョイント指示を実現する。なお、ＭＴとＤＵのＤＣＩを区別するために、異なるＲＮＴＩ、又は、異なるセットのパラメータ「slotFormatCombinationID」が使用されてよい。
【００９８】
（提案６−１−２）新たなフォーマット情報（例えば「slotFormats-R16」）、及び、ＤＣＩフォーマット２＿０を使用して、ケース２及び３のジョイント指示を実現する。当該新たなフォーマット情報は、新たなスロットフォーマットテーブル有してもよいし、ＤＵ−Ｄ、ＤＵ−Ｕ、ＤＵ−Ｆ又はＤＵ−ＮＡを指示するための情報（例えば２ビットの情報）を有してもよい。なお、ＭＴとＤＵのＤＣＩを区別するために、異なるＲＮＴＩ又は異なるセットのパラメータ「slotFormatCombinationID」が使用されてよい。
【００９９】
（提案６−１−３）新たなＤＣＩフォーマットを使用して、ケース２及び３のジョイント指示を実現する。この場合、ＩＡＢノード１０は、ＤＣＩフォーマット２＿０と、当該新たなＤＣＩフォーマットとを監視してよい。
【０１００】
＜オプション２−２の詳細＞
（提案６−２）オプション２−２は、ケース２の指示と、ケース１及び３のジョイント指示とを分ける。例えば、ケース２では、ＤＣＩフォーマット２＿０を用いて指示する。ケース１及び３では、実施の形態１のオプション１及び／又は２の方法を用いてジョイント指示する。
【０１０１】
なお、ケース１及び３のジョイント指示において、提案１又は提案２−１のようにＤＣＩフォーマット２＿０を使用する場合、ＭＴとＤＵのＤＣＩを区別するために、異なるＲＮＴＩ又は異なるセットのパラメータ「slotFormatCombinationID」が使用されてもよい。また、提案２−２のように新たなＤＣＩフォーマットを使用する場合、ＩＡＢノード１０は、ＤＣＩフォーマット２＿０と新たなＤＣＩフォーマットの両方を監視してよい。
【０１０２】
また、ケース２の動的指示は、以下の理由により、オプションであってもよい。
・ＤＵリソースの準静的な設定によって、ＤＵ−Ｆのリンク方向も設定され得る。
・ＤＵリソースはＩＡＢノード１０の子リンクの通信用であるから、ＤＵ−Ｆの使い方は、当該ＩＡＢノード１０によって決定され得る。なお、ＤＵ−Ｆの使い方の指示は、親ＩＡＢノードからに限られない。
【０１０３】
また、ＩＡＢノード１０がケース２の動的指示を監視するかどうかについては、上位レイヤから設定されてよい。また、ケース２の動的指示の監視が設定された場合は、上記提案７−２が適用され、ケース２の動的指示の監視が設定されない場合は、実施の形態１の何れかの提案が適用されてよい。
【０１０４】
＜オプション２−３の詳細＞
（提案６−３）オプション２−３は、ケース３の指示と、ケース１及び２のジョイント指示とを分ける。
【０１０５】
例えば、ケース３の指示を、上記提案４を適用して実現する。ケース１及び２のジョイント指示のためのシグナリングは、ケース１，２及び３のジョイント指示のためのシグナリングと共通であってよい。なお、ケース１，２及び３のジョイント指示のためのシグナリングについては、後述する（＜オプション３の詳細＞を参照）。
【０１０６】
＜オプション３の詳細＞
（提案７）オプション３では、ケース１，２及び３をジョイント指示する。当該ケース１，２及び３のジョイント指示には、上記提案１及び２に類似する方法が適用されてよい。
【０１０７】
例えば、各スロットフォーマットは、ＭＴ−Ｄ、ＭＴ−Ｕ、ＭＴ−Ｆ、ＤＵ−Ｄ、ＤＵ−Ｕ、ＤＵ−Ｆの６タイプにて構成される。ＤＵ−Ｄ、ＤＵ−Ｕ、ＤＵ−Ｆと指示されたリソースは、ＤＵにて利用可能であり、それとは異なる指示をされたリソースは、ＭＴにて利用される。
【０１０８】
当該ケース１，２及び３のジョイント指示の一例を、図１５を参照して説明する。まず、ＭＴのスロットフォーマットとＤＵのスロットフォーマットとが、準静的に設定される。次に、ＤＣＩフォーマット２＿０のスロットフォーマット指示情報が動的指示される。ＩＡＢノード１０は、ＭＴスロットフォーマット及びＤＵスロットフォーマットに対して、動的指示されたスロットフォーマット指示情報を適用し、ＭＴ−Ｆのリンク方向及び利用可能性を決定する。
【０１０９】
なお、ケース１，２及び３のジョイント指示は、次のオプション３−１、オプション３−２及びオプション３−３のうちの少なくとも１つによって実現されてよい。
【０１１０】
（オプション３−１）スロットフォーマットテーブルにおける予約エントリ、及び、ＤＣＩフォーマット２＿０を利用する。
【０１１１】
（オプション３−２）上記提案２−１にて説明した新たな情報「slotFormats-R16」、及び、ＤＣＩフォーマット２＿０を利用する。新たな情報「slotFormats-R16」は、新たなスロットフォーマットテーブルを有してもよいし、ＭＴ−Ｄ、ＭＴ−Ｕ、ＭＴ−Ｆ、ＤＵ−Ｄ、ＤＵ−Ｕ、ＤＵ−Ｆの何れであるかを指示するための情報（例えば３ビットの情報）を有してもよい。
【０１１２】
（オプション３−３）上記提案２−２にて説明した、ＭＴ−Ｄ、ＭＴ−Ｕ、ＭＴ−Ｆ、ＤＵ−Ｄ、ＤＵ−Ｕ、ＤＵ−Ｆの何れであるかを指示するための情報（例えば３ビットの情報）を含む新たなＤＣＩフォーマットを使用する。
【０１１３】
＜実施の形態２のまとめ＞
実施の形態２では、ＩＡＢノード１０は、親リンクのＭＴリソース及び子リンクのＤＵリソースに関する設定が含まれる設定情報と、リソースの用途を指示する指示情報とを受信する受信部と、設定情報及び指示情報に基づいて、ＭＴリソースのリンク方向、ＤＵリソースのリンク方向、及び、ＤＵリソースの利用を制御する制御部１００と、を備える。
【０１１４】
当該構成により、ＩＡＢノード１０は、ＭＴリソース及びＤＵリソースを適切に制御できる。
【０１１５】
＜変形例＞
次に、実施の形態１及び／又は２に関する変形例について説明する。
【０１１６】
（デフォルトの想定）
上記の全ての提案において、ＩＡＢノード１０のＤＵは、利用可能性が動的指示されない場合、ＤＵ（Ｓ）を利用不可と想定してよい。この場合、ＩＡＢノード１０のＭＴは、当該ＤＵ（Ｓ）に対応するＭＴリソースを、利用可能と想定してもよい。或いは、ＩＡＢノードのＤＵ及びＭＴは、これとは反対を想定してもよい。或いは、ＤＵ（Ｓ）のデフォルトの想定は、上位レイヤによって設定されてもよい。
【０１１７】
（代替案）
ＤＵ（Ｓ）の利用可能性の指示が他の指示と分けられる場合、ＭＡＣ−ＣＥ（Media Access Control-Control Element）又はＤＣＩは、ＤＵ（Ｓ）を活性化（activate）及び／又は不活性化（deactivate）するために用いられてもよい。なお、他の指示は、例えば、ＤＣＩに基づくＭＴ又はＤＵのリソース方向の指示であってよい。
【０１１８】
例えば、ＤＵ（Ｓ）がＭＡＣ−ＣＥ又はＤＣＩによって利用不可（ＮＡ）と指示された場合、当該ＤＵ（Ｓ）は、タイマーが満了するまで利用不可であってよい。この場合、親ＩＡＢノード１０Ａからの当該ＤＵ（Ｓ）におけるＤＬ又はＵＬのスケジューリングのタイミングにて、当該タイマーが開始又はリセットされてもよい。また、所定の時間、ＤＵ（Ｓ）におけるスケジューリンググラントが存在しない場合、当該タイマーは満了してもよい。そして、次のＭＡＣ−ＣＥ又はＤＣＩによる指示まで、当該ＤＵ（Ｓ）は利用可能であってよい。なお、この例において、ＤＵ（Ｓ）のデフォルト状態は、ＤＵにて利用可能であってよい。
【０１１９】
＜ハードウェア構成等＞
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１２０】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting unit）や送信機（transmitter）と呼称される。いずれも、上述したとおり、実現方法は特に限定されない。
【０１２１】
例えば、本開示の一実施の形態における基地局、ユーザ端末などは、本開示の無線通信方法の処理を行うコンピュータとして機能してもよい。図１６は、本開示の一実施の形態に係るＩＡＢノード及びＵＥのハードウェア構成の一例を示す図である。上述のＩＡＢノード１０及びＵＥ２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１２２】
なお、以下の説明では、「装置」という文言は、回路、デバイス、ユニットなどに読み替えることができる。ＩＡＢノード１０及びＵＥ２０のハードウェア構成は、図に示した各装置を１つ又は複数含むように構成されてもよいし、一部の装置を含まずに構成されてもよい。
【０１２３】
ＩＡＢノード１０及びＵＥ２０における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【０１２４】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１００、ＭＴ１０２、及びＤＵ１０３などは、プロセッサ１００１によって実現されてもよい。
【０１２５】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、ＵＥ２０の制御部は、メモリ１００２に格納され、プロセッサ１００１において動作する制御プログラムによって実現されてもよく、他の機能ブロックについても同様に実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【０１２６】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存することができる。
【０１２７】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【０１２８】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、ＩＡＢノード１０及びＵＥ２０が備えるアンテナなどは、通信装置１００４によって実現されてもよい。送受信部は、送信部と受信部とで、物理的に、または論理的に分離された実装がなされてもよい。
【０１２９】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【０１３０】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１３１】
また、ＩＡＢノード１０及びＵＥ２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【０１３２】
＜情報の通知、シグナリング＞
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【０１３３】
＜適用システム＞
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【０１３４】
＜処理手順等＞
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１３５】
＜基地局の動作＞
本開示において基地局によって行われるとした特定動作は、場合によってはその上位ノード（upper  node）によって行われることもある。基地局を有する１つ又は複数のネットワークノード（network  nodes）からなるネットワークにおいて、端末との通信のために行われる様々な動作は、基地局及び基地局以外の他のネットワークノード（例えば、ＭＭＥ又はＳ−ＧＷなどが考えられるが、これらに限られない）の少なくとも１つによって行われ得ることは明らかである。上記において基地局以外の他のネットワークノードが１つである場合を例示したが、複数の他のネットワークノードの組み合わせ（例えば、ＭＭＥ及びＳ−ＧＷ）であってもよい。
【０１３６】
＜入出力の方向＞
情報等（※「情報、信号」の項目参照）は、上位レイヤ（又は下位レイヤ）から下位レイヤ（又は上位レイヤ）へ出力され得る。複数のネットワークノードを介して入出力されてもよい。
【０１３７】
＜入出力された情報等の扱い＞
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【０１３８】
＜判定方法＞
判定は、１ビットで表される値（０か１か）によって行われてもよいし、真偽値（Boolean：true又はfalse）によって行われてもよいし、数値の比較（例えば、所定の値との比較）によって行われてもよい。
【０１３９】
＜態様のバリエーション等＞
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的に（例えば、当該所定の情報の通知を行わないことによって）行われてもよい。
【０１４０】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【０１４１】
＜ソフトウェア＞
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１４２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１４３】
＜情報、信号＞
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１４４】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【０１４５】
＜「システム」、「ネットワーク」＞
本開示において使用する「システム」及び「ネットワーク」という用語は、互換的に使用される。
【０１４６】
＜パラメータ、チャネルの名称＞
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１４７】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１４８】
＜基地局＞
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１４９】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１５０】
＜移動局＞
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１５１】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１５２】
＜基地局／移動局＞
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１５３】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
同様に、本開示におけるユーザ端末は、基地局で読み替えてもよい。この場合、上述のユーザ端末２０が有する機能を基地局１０が有する構成としてもよい。
【０１５４】
＜用語の意味、解釈＞
本開示で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１５５】
「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１５６】
＜参照信号＞
参照信号は、ＲＳ（Reference  Signal）と略称することもでき、適用される標準によってパイロット（Pilot）と呼ばれてもよい。
【０１５７】
＜「に基づいて」の意味＞
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１５８】
＜「第１の」、「第２の」＞
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１５９】
＜「手段」＞
上記の各装置の構成における「手段」を、「部」、「回路」、「デバイス」等に置き換えてもよい。
【０１６０】
＜オープン形式＞
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１６１】
＜ＴＴＩ等の時間単位、ＲＢなどの周波数単位、無線フレーム構成＞
無線フレームは時間領域において１つ又は複数のフレームによって構成されてもよい。時間領域において１つ又は複数の各フレームはサブフレームと呼ばれてもよい。
【０１６２】
サブフレームは更に時間領域において１つ又は複数のスロットによって構成されてもよい。サブフレームは、ニューメロロジー（numerology）に依存しない固定の時間長（例えば、１ｍｓ）であってもよい。
【０１６３】
ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１６４】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジーに基づく時間単位であってもよい。
【０１６５】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【０１６６】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１６７】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１６８】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１６９】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１７０】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１７１】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１７２】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１７３】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１７４】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０１７５】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１７６】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１７７】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１７８】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１７９】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１８０】
＜最大送信電力＞
本開示に記載の「最大送信電力」は、送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０１８１】
＜冠詞＞
本開示において、例えば、英語でのa、an及びtheのように、翻訳により冠詞が追加された場合、本開示は、これらの冠詞の後に続く名詞が複数形であることを含んでもよい。
【０１８２】
＜「異なる」＞
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【産業上の利用可能性】
【０１８３】
本開示の一態様は、無線通信システムに有用である。
【符号の説明】
【０１８４】
１０，１０Ａ，１０Ｂ，１０Ｃ  ＩＡＢノード
２０  ＵＥ
１００  制御部
１０２  ＭＴ
１０３  ＤＵ
【図１】
2020161922.tif 000003
【図２】
2020161922.tif 000004
【図３Ａ】
2020161922.tif 000005
【図３Ｂ】
2020161922.tif 000006
【図４Ａ】
2020161922.tif 000007
【図４Ｂ】
2020161922.tif 000008
【図５Ａ】
2020161922.tif 000009
【図５Ｂ】
2020161922.tif 000010
【図５Ｃ】
2020161922.tif 000011
【図６】
2020161922.tif 000012
【図７Ａ】
2020161922.tif 000013
【図７Ｂ】
2020161922.tif 000014
【図７Ｃ】
2020161922.tif 000015
【図８】
2020161922.tif 000016
【図９】
2020161922.tif 000017
【図１０】
2020161922.tif 000018
【図１１Ａ】
2020161922.tif 000019
【図１１Ｂ】
2020161922.tif 000020
【図１２Ａ】
2020161922.tif 000021
【図１２Ｂ】
2020161922.tif 000022
【図１３】
2020161922.tif 000023
【図１４】
2020161922.tif 000024
【図１５】
2020161922.tif 000025
【図１６】
2020161922.tif 000026
【手続補正書】
【提出日】令和3年6月16日(2021.6.16)
【手続補正１】
【補正対象書類名】特許請求の範囲
【補正対象項目名】全文
【補正方法】変更
【補正の内容】
【特許請求の範囲】
【請求項１】
スロットフォーマットを指示するスロットフォーマットインディケータを含む第１の下りリンク制御情報と、ソフトリソースの利用可能性を指示する利用可能性インディケータを含む第２の下りリンク制御情報と、を受信する受信部と、
前記スロットフォーマットインディケータに基づいて、Mobile-Termination（ＭＴ）におけるスロットフォーマットを設定し、前記利用可能性インディケータに基づいて、前記ソフトリソースの利用を決定する制御部と、
を備えた、無線ノード。
【請求項２】
前記第１の下りリンク制御情報のフォーマットと、前記第２の下りリンク制御情報のフォーマットとは、異なる、
請求項１に記載の無線ノード。
【請求項３】
前記受信部は、前記第２の下りリンク制御情報における前記利用可能性インディケータの位置情報を受信し、
前記制御部は、前記位置情報に基づいて、前記第２の下りリンク制御情報における前記利用可能性インディケータを判断する、
請求項１に記載の無線ノード。
【請求項４】
前記受信部は、セル識別情報を受信し、
前記制御部は、前記セル識別情報によって示されるセルにおける、前記ソフトリソースの利用を決定する、
請求項１に記載の無線ノード。
【請求項５】
前記受信部は、１スロット内におけるソフトシンボルの利用可能性を受信し、
前記制御部は、前記利用可能性インディケータに基づいて、複数のスロットにおけるソフトシンボルの利用を決定する、
請求項１に記載の無線ノード。
【請求項６】
前記受信部は、前記ソフトシンボルにおいてダウンリンク、アップリンク及びフレキシブルが利用可能か否か、を示す情報を受信する、
請求項５に記載の無線ノード。
【請求項７】
前記受信部は、１スロット内の複数のシンボルにおける利用可能性を共通に示す情報を受信し、
前記制御部は、前記利用可能性インディケータに基づいて、前記複数のシンボルの利用を決定する、
請求項１に記載の無線ノード。
【請求項８】
無線ノードは、
スロットフォーマットを指示するスロットフォーマットインディケータを含む第１の下りリンク制御情報と、ソフトリソースの利用可能性を指示する利用可能性インディケータを含む第２の下りリンク制御情報と、を受信し、
前記スロットフォーマットインディケータに基づいて、Mobile-Termination（ＭＴ）におけるスロットフォーマットを設定し、前記利用可能性インディケータに基づいて、前記ソフトリソースの利用を決定する、
無線通信方法。
【国際調査報告】
2020161922.tif 000027
2020161922.tif 000028
2020161922.tif 000029
2020161922.tif 000030